(57)【要約】【課題】電子掲示板は、単一のサーバ上で管理されていたため、複数のサーバの電子掲示板を閲覧する手間が煩雑であった。【解決手段】本出願に係る発明は、異なるサーバ上にある複数の電子掲示板を，統合的に管理するシステムである。そして、各々の電子掲示版の管理形式や表示形式に依存することがなく前記電子掲示板を管理することを特徴とする。本出願に係る電子掲示板統合管理システムはスレッド特定情報取得部と投稿情報取得部と投稿情報蓄積部とウィンドウ生成部と閲覧部とを有する。【選択図】図１
2004355046.tif 000002
【特許請求の範囲】
【請求項１】
インターネット上の複数の電子掲示板のスレッドを特定するための情報であるスレッド特定情報を取得するスレッド特定情報取得部と、
前記スレッド特定情報取得部で取得したそれぞれの電子掲示板のスレッド特定情報に基づいて特定されるスレッドから投稿の内容を示す情報である投稿情報を前記スレッド特定情報と関連付けて取得する投稿情報取得部と、
前記投稿情報取得部が取得した投稿情報を蓄積する投稿情報蓄積部と、
前記投稿情報蓄積部に蓄積された前記複数の電子掲示板の投稿情報を同時に表示する画面上のウィンドウを生成するためのウィンドウ生成部と、
前記ウィンドウ生成部により生成されたウィンドウを利用して前記投稿情報の閲覧をするための閲覧部と、
を有する電子掲示板統合管理システム。
【請求項２】
前記投稿情報取得部は、前記投稿情報蓄積部に未だに蓄積されていない投稿情報である新規投稿情報のみを取得するための新規投稿情報取得手段を有する請求項１に記載の電子掲示板統合管理システム。
【請求項３】
前記閲覧部での閲覧履歴を蓄積する閲覧履歴蓄積部をさらに有し、
前記閲覧部は、前記閲覧履歴蓄積部に蓄積されている閲覧履歴に基づいて前記閲覧をさせる投稿情報の表示をするための閲覧履歴投稿情報表示手段を有する請求項１又は２に記載の電子掲示板統合管理システム。
【請求項４】
スレッド特定情報を登録するためのスレッド特定情報登録部をさらに有し、
前記スレッド特定情報取得部は、前記スレッド特定情報登録部にて登録されているスレッド特定情報を取得する請求項１に記載の電子掲示板統合管理システム。
【請求項５】
興味のある事項に関する情報である興味情報を登録するための興味情報登録部と、
前記興味情報登録部に登録された興味情報に基づいてインターネット上の関連スレッドを検索する興味スレッド検索部とを有し、
前記スレッド特定情報登録部は、前記興味スレッド検索部での検索結果にもとづいて前記登録を行う請求項４に記載の電子掲示板統合管理システム。
【請求項６】
前記投稿情報取得部は、投稿情報の管理形式を示す投稿パターン情報を保持する投稿パターン情報保持手段と、
取得された投稿情報から、タイトル、投稿情報識別番号、投稿者名、投稿日時、投稿本文、引用文、返信先投稿情報識別番号のいずれか一以上の内容情報を前記投稿パターン情報を利用して取得する投稿情報内容取得手段と、を有する請求項１に記載の電子掲示板統合管理システム。
【請求項７】
インターネット上の複数の電子掲示板のスレッドを特定するための情報であるスレッド特定情報を取得するスレッド特定情報取得ステップと、
前記スレッド特定情報取得ステップで取得したそれぞれの電子掲示板のスレッド特定情報に基づいて特定されるスレッドから投稿の内容を示す情報である投稿情報を前記スレッド特定情報と関連付けて取得する投稿情報取得ステップと、
前記投稿情報取得部が取得した投稿情報を蓄積する投稿情報蓄積ステップと、
前記投稿情報蓄積ステップにおいて蓄積された前記複数の電子掲示板の投稿情報を同時に表示する画面上のウィンドウを生成するためのウィンドウ生成ステップと、
前記ウィンドウ生成ステップにおいて生成されたウィンドウを利用して前記投稿情報の閲覧をするための閲覧ステップと、
を有する電子掲示板統合管理方法。
【発明の詳細な説明】
【０００１】
【発明の属する技術分野】
本発明は電子掲示板を管理するシステム及び方法に関する。
【０００２】
【従来の技術】
従来の電子掲示板を管理する技術として、電子掲示板にテーマを登録し、そのテーマに関する投稿の情報をその経緯とともに管理するものがある。従来の技術の公知文献としては下記がある。
【０００３】
【特許文献１】
特開平９−２３１０４０号公報（第２頁−第１０頁、第１図−第２６図）
【０００４】
【発明が解決しようとする課題】
しかし、従来の技術は，単一のサーバ上で電子掲示板が管理されているものであった。
【０００５】
【課題を解決するための手段】
本出願に係る発明は、異なるサーバ上にある複数の電子掲示板を，統合的に管理するシステムである。そして、各々の電子掲示版の管理形式や表示形式に依存することがなく前記電子掲示板を管理することを特徴とする。本出願に係る電子掲示板統合管理システムはスレッド特定情報取得部と投稿情報取得部と投稿情報蓄積部とウィンドウ生成部と閲覧部とを有する。
【０００６】
【発明の実施の形態】
以下、本発明の実施の形態を図示例と共に説明する。
本発明の実施形態１は主に請求項１または７などに対応する。
本発明の実施形態２は主に請求項２などに対応する。
本発明の実施形態３は主に請求項３などに対応する。
本発明の実施形態４は主に請求項４などに対応する。
本発明の実施形態５は主に請求項５などに対応する。
本発明の実施形態６は主に請求項６などに対応する。
【０００７】
＜実施形態１＞
【０００８】
＜概要＞
【０００９】
図１に実施形態１の電子掲示板統合管理システムの概念の一例を示す。インターネット上にある複数の電子掲示板から投稿情報を取得する際を例に説明する。電子掲示板ではスレッドのタイトル毎にＵＲＬ（Ｕｎｉｆｏｒｍ  Ｒｅｓｏｒｃｅ  Ｌｏｃａｔｏｒ）が一意に割り振られている。利用者は複数の電子掲示板上の取得したいスレッドのＵＲＬを指定し、電子掲示板統合管理システムはその指定されたＵＲＬを取得する。電子掲示板統合管理システムは各々の電子掲示板から指定されたＵＲＬごとに投稿情報を取得する。そして、複数の電子掲示板から取得された投稿情報を一画面に同時に表示する。また、その表示の際にそれぞれの投稿情報がどの電子掲示板のスレッドから取得されたのかを表示しても良い。
【００１０】
＜構成＞
【００１１】
図２は実施形態１の電子掲示板統合管理システムの機能ブロックの一例を示す図である。実施形態１の電子掲示板統合管理システム０２００はスレッド特定情報取得部０２０１と投稿情報取得部０２０２と投稿情報蓄積部０２０３とウィンドウ生成部０２０４と閲覧部０２０５とを有する。
【００１２】
「スレッド特定情報取得部」は、インターネット上の複数の電子掲示板のスレッドを特定するための情報であるスレッド特定情報を取得する。「インターネット上の複数の電子掲示板」とは、インターネットを通じて特定又は不特定の人々が情報を投稿及び閲覧することができる電子的な伝言板の集合体であり、個人がインターネット上に公開する電子掲示板やインターネットの各ポータルサイトが運営する電子掲示板などの複数の電子掲示板のことである。「スレッド」とは、前記電子掲示板におけるトピック毎の情報のまとまりであり、利用者が投稿した情報の集合体である。「利用者」とは、電子掲示板統合管理システムを利用する人である。「スレッド特定情報」とは、電子掲示板のそれぞれのスレッドのインターネット上の場所を一意に特定するための情報であり、インターネットのＵＲＬなどである。「取得」とは、インターネット上の複数の電子掲示板にある前記スレッド特定情報を電子掲示板統合管理システムが取得することをいう。
【００１３】
「投稿情報取得部」は、前記スレッド特定情報取得部で取得したそれぞれの電子掲示板のスレッド特定情報に基づいて特定されるスレッドから投稿の内容を示す情報である投稿情報を前記スレッド特定情報と関連付けて取得する。「スレッド特定情報に基づいて特定される」とは、前記スレッド特定情報によりインターネット上の一意の場所が特定されることをいう。「投稿情報」とは、電子掲示板の利用者が電子掲示板のスレッドに対して投稿した一以上の情報である。「関連付けて」とは、電子掲示板統合管理システムが前記スレッド特定情報と前記投稿情報とを一対一または一対多に関連づけることをいう。「取得」とは、電子掲示板統合管理システムが電子掲示板及びスレッドを特定する情報と関連付けられた状態でスレッドの中の一以上の投稿情報を取得することをいう。
【００１４】
「投稿情報蓄積部」は、前記投稿情報取得部が取得した投稿情報を蓄積する。「蓄積」とは、電子掲示板統合管理システムがすぐに利用できる状態で一以上の前記投稿情報を保持することをいう。
【００１５】
「ウィンドウ生成部」は、前記投稿情報蓄積部に蓄積された前記複数の電子掲示板の投稿情報を同時に表示する画面上のウィンドウを生成する。「投稿情報を同時に表示する画面上のウィンドウ」とは、インターネット上の複数の電子掲示板のスレッドにある一以上の前記投稿情報が同時に表示されるウィンドウのことである。一つの画面の中の同時に一以上ウィンドウが表示されてもよい。「生成」とは、電子掲示板統合管理システムが前記ウィンドウを利用者の端末の画面に生成することをいう。
【００１６】
「閲覧部」は、前記ウィンドウ生成部により生成されたウィンドウを利用して前記投稿情報の閲覧をする。「利用して」とは、電子掲示板統合管理システムが投稿情報を画面に出力する際に前記ウィンドウを介することをいう。「閲覧」とは、利用者が、電子掲示板統合管理システムが生成した前記ウィンドウに表示される一以上の投稿情報を同時に閲覧することをいう。また、前記投稿情報は、その投稿情報が存在した電子掲示板及びスレッドを特定する情報と共にウィンドウに表示されて利用者に閲覧されてもよい。
【００１７】
図３は実施形態１の電子掲示板統合管理システムの実施の一例を示す図である。電子掲示板統合管理システムのスレッド特定情報取得部は２つのスレッド特定情報を取得する。スレッド特定情報は電子掲示板の名前とそのスレッドの名前及び前記スレッドのＵＲＬからなっている。投稿情報取得部は２つのスレッド特定情報の中のＵＲＬを参照してインターネット上の電子掲示板の２つのスレッドから２つの投稿情報を取得する。そして、投稿情報蓄積部はあるテーマに関する前記２つの投稿情報を蓄積する。投稿情報は電子掲示板やスレッドやＵＲＬのスレッド特定情報や投稿ＩＤなどの情報と関連づけられて蓄積されてもよい。そして、ウィンドウ生成部は異なる電子掲示板のスレッドの投稿情報を一画面に表示するウィンドウを生成する。そして、閲覧部は前記投稿情報を表示する。前記投稿情報は特定のスレッド名をクリックすることなどで表示されるようになっていてもよい。また、特定の電子掲示板名をクリックすることでその電子掲示板で取得されたスレッド名の一覧などが表示されていもよい。また、電子掲示板名やスレッド名や投稿情報は別々のウィンドウに表示されてもよい。
【００１８】
＜処理の流れ＞
【００１９】
図４は実施形態１の電子掲示板統合管理システムのフローの一例を示す図である。本実施形態の電子掲示板統合管理システムは以下のステップを有しても良い。まず、複数の電子掲示板のスレッド特定情報を取得する（ステップＳ０４０１）。そして、取得されたそれぞれのスレッド特定情報に基づいて特定されるスレッドから投稿情報をスレッド特定情報と関連付けて取得する（ステップＳ０４０２）。そして、取得された投稿情報を蓄積する（ステップＳ０４０３）。そして、複数の電子掲示板の投稿情報を同時に表示する画面上のウインドウを生成する（ステップＳ０４０４）。そして、生成されたウインドウを利用して投稿情報の閲覧をする（ステップＳ０４０５）。
【００２０】
＜効果＞
【００２１】
本実施形態の電子掲示板統合管理システムを利用することで、利用者は複数の電子掲示板にある投稿情報を簡単に一度にみることができる。
【００２２】
＜実施形態１以上＞
【００２３】
＜実施形態２＞
【００２４】
＜概要＞
【００２５】
実施形態２の電子掲示板統合管理システムにおける投稿情報取得部は、投稿情報蓄積部に未だに蓄積されていない投稿情報である新規投稿情報のみを取得するための新規投稿情報取得手段を有することを特徴とする。本実施形態の電子掲示板統合管理システムを利用することで、利用者は最新の投稿情報を簡単に閲覧することができる。たとえば、毎日閲覧しているスレッドで利用者が閲覧したいのは新規の投稿情報だけであり、その新規の投稿情報をワンクリックなどで簡単に閲覧できる。
【００２６】
＜構成＞
【００２７】
図５は実施形態２の電子掲示板統合管理システムの機能ブロックの一例を示す図である。実施形態２の電子掲示板統合管理システム０５００はスレッド特定情報取得部０５０１と投稿情報取得部０５０２と投稿情報蓄積部０５０３とウィンドウ生成部０５０４と閲覧部０５０５とを有する。これらは従前の実施形態と同様の内容であるので説明を省略する。
【００２８】
実施形態２の電子掲示板統合管理システムにおける前記投稿情報取得部は、前記投稿情報蓄積部に未だに蓄積されていない投稿情報である新規投稿情報のみを取得するための新規投稿情報取得手段０５０６を有する。「新規投稿情報」とは、実施形態１のスレッド特定情報で示されるスレッドが有する投稿情報の中で電子掲示板統合管理システムが取得していない投稿情報である。「取得」とは、電子掲示板統合管理システムが一以上の前記新規投稿情報をインターネットを通じて取得することをいう。
【００２９】
図６は実施形態２の電子掲示板統合管理システムの実施の一例を示す図である。電子掲示板統合管理システムのスレッド特定情報取得部は２つのスレッド特定情報を取得する。スレッド特定情報は電子掲示板名やスレッド名やそのスレッドのＵＲＬからなる。新規投稿情報取得手段はその２つのスレッドで既に取得されている投稿情報を投稿情報蓄積部に確認する。そして、既に、２つの投稿情報（電子掲示板１−スレッドＣＡ−投稿ＩＤ０１の投稿情報と、電子掲示板２−スレッドＤＡ−投稿ＩＤ０１の投稿情報）が取得されていることを確認する。そして、新規投稿情報取得手段はインターネットを通じて、スレッド特定情報で示されるＵＲＬを参照して、投稿情報蓄積部が有さない新規の２つの投稿情報（電子掲示板１−スレッドＣＡ−投稿ＩＤ０２の投稿情報と、電子掲示板２−スレッドＤＡ−投稿ＩＤ０２の投稿情報）を取得する。そして、ウィンドウ生成部は新規に取得された投稿情報が同時に表示されるウィンドウを生成する。そして、閲覧部はスレッド特定情報と共に新規に取得された投稿情報を表示する。前記新規の投稿情報は特定のスレッド名をクリックすることなどで表示されるようになっていてもよい。また、特定の電子掲示板名をクリックすることでその電子掲示板で新規の投稿情報が取得されたスレッド名の一覧などが表示されていもよい。また、電子掲示板名やスレッド名や新規の投稿情報は別々のウィンドウに表示されてもよい。
【００３０】
＜処理の流れ＞
【００３１】
図７は実施形態２の電子掲示板統合管理システムのフローの一例を示す図である。本実施形態の電子掲示板統合管理システムは以下のステップを有しても良い。まず、複数の電子掲示板のスレッド特定情報を取得する（ステップＳ０７０１）。そして、取得されたそれぞれのスレッド特定情報に基づいて特定されるスレッドから未だに蓄積されていない投稿情報をスレッド特定情報と関連付けて取得する（ステップＳ０７０２）。そして、取得された投稿情報を蓄積する（ステップＳ０７０３）。そして、複数の電子掲示板の投稿情報を同時に表示する画面上のウインドウを生成する（ステップＳ０７０４）。そして、生成されたウインドウを利用して投稿情報の閲覧をする（ステップＳ０７０５）。
【００３２】
＜効果＞
【００３３】
本実施形態の電子掲示板統合管理システムを利用することで、利用者は複数の電子掲示板にある新規の投稿情報を簡単に一画面でみることができる。
【００３４】
＜実施形態２以上＞
【００３５】
＜実施形態３＞
【００３６】
＜概要＞
【００３７】
実施形態３の電子掲示板統合管理システムは、閲覧部での閲覧履歴を蓄積する閲覧履歴蓄積部をさらに有し、閲覧部は、前記閲覧履歴蓄積部に蓄積されている閲覧履歴に基づいて閲覧をさせる投稿情報の表示をするための閲覧履歴投稿情報表示手段を有することを特徴とする。本実施形態の電子掲示板統合管理システムを利用することで、利用者は既に閲覧した投稿情報を見ることがなくなる。たとえば、利用者が毎回同じスレッドの投稿情報を閲覧する際に既に読んだ投稿情報は画面をスクロールしないと表示されないようになっており、利用者が閲覧していない投稿情報がスクロールなしに画面に表示されるようになっていてもよい。
【００３８】
＜構成＞
【００３９】
図８は実施形態３の電子掲示板統合管理システムの機能ブロックの一例を示す図である。実施形態３の電子掲示板統合管理システム０８００はスレッド特定情報取得部０８０１と投稿情報取得部０８０２と投稿情報蓄積部０８０３とウィンドウ生成部０８０４と閲覧部０８０５とを有する。また、新規投稿情報取得手段０８０６これらは従前の実施形態と同様の内容であるので説明を省略する。
【００４０】
実施形態３の電子掲示板統合管理システムは前記閲覧部での閲覧履歴を蓄積する閲覧履歴蓄積部０８０７をさらに有し、前記閲覧部は、前記閲覧履歴蓄積部に蓄積されている閲覧履歴に基づいて前記閲覧をさせる投稿情報の表示をするための閲覧履歴投稿情報表示手段０８０８を有する。「閲覧履歴」とは、電子掲示板統合管理システムにおいて利用者が過去に閲覧した投稿情報の履歴をいう。たとえば、電子掲示板名とスレッド名と投稿ＩＤが一組の情報となり、前記閲覧履歴を示しても良い。「蓄積」とは、電子掲示板統合管理システムが一以上の前記閲覧履歴をすぐに利用できるように保持することをいう。「基づいて」とは、電子掲示板統合管理システムが閲覧をさせる投稿情報の表示をする際に、前記閲覧履歴蓄積部に前記投稿情報の閲覧履歴の有無を確認することをいう。「表示」とは、電子掲示板統合管理システムが前記閲覧履歴に存在しないと確認された投稿情報を利用者に閲覧をさせるために表示することをいう。
【００４１】
図９は実施形態３の電子掲示板統合管理システムの実施の一例を示す。電子掲示板統合管理システムのスレッド特定情報取得部は２つのスレッド特定情報を取得する。スレッド特定情報は電子掲示板の名前とそのスレッド名前及び前記スレッドのＵＲＬからなっている。投稿情報取得部は２つのスレッド特定情報の中のＵＲＬを参照してインターネット上の電子掲示板の特定のスレッドから２つの投稿情報を取得する。そして、投稿情報蓄積部はあるテーマに関する前記２つの投稿情報を蓄積する。投稿情報は電子掲示板やスレッドやＵＲＬのスレッド特定情報や投稿ＩＤなどの情報と関連づけられて蓄積されてもよい。そして、ウィンドウ生成部は異なる電子掲示板のスレッドの投稿情報を一画面に表示するウィンドウを生成する。閲覧履歴投稿情報表示手段は、投稿情報蓄積部における投稿情報の中で閲覧履歴蓄積部に閲覧履歴がない投稿情報を確認し、前記閲覧履歴がない投稿情報を一画面に表示する。前記閲覧履歴がない投稿情報は画面を利用者がスクロールしなくても閲覧できるように表示され、閲覧履歴がある投稿情報は利用者が画面をスクロールすることで閲覧できてもよい。また、前記閲覧履歴がない投稿情報は特定のスレッド名をクリックすることなどで表示されるようになっていてもよい。また、特定の電子掲示板名をクリックすることでその電子掲示板で前記閲覧履歴がない投稿情報が取得されたスレッド名の一覧などが表示されていもよい。また、電子掲示板名やスレッド名や投稿情報は別々のウィンドウに表示されてもよい。
【００４２】
＜処理の流れ＞
【００４３】
図１０は実施形態３の電子掲示板統合管理システムのフローの一例を示す図である。本実施形態の電子掲示板統合管理システムは以下のステップを有しても良い。まず、複数の電子掲示板のスレッド特定情報を取得する（ステップＳ１００１）。そして、取得されたそれぞれのスレッド特定情報に基づいて特定されるスレッドから投稿情報をスレッド特定情報と関連付けて取得する（ステップＳ１００２）。そして、取得された投稿情報を蓄積する（ステップＳ１００３）。そして、複数の電子掲示板の投稿情報を同時に表示する画面上のウインドウを生成する（ステップＳ１００４）。そして、生成されたウインドウを利用して投稿情報の閲覧をする（ステップＳ１００５）。そして、閲覧履歴を蓄積する（ステップＳ１００６）。そして、閲覧履歴に基づいて投稿情報の表示をする（ステップＳ１００７）。
【００４４】
＜効果＞
【００４５】
本実施形態の電子掲示板統合管理システムを利用することで、利用者は既に閲覧した投稿情報を見る煩わしさを感じることなく、閲覧したことがない投稿情報を簡単に一度に閲覧することができる。
【００４６】
＜実施形態３以上＞
【００４７】
＜実施形態４＞
【００４８】
＜概要＞
【００４９】
実施形態４の電子掲示板統合管理システムは、スレッド特定情報を登録するためのスレッド特定情報登録部をさらに有し、前記スレッド特定情報取得部は、前記スレッド特定情報登録部にて登録されているスレッド特定情報を取得することを特徴とする。本実施形態の電子掲示板統合管理システムを利用することにより、利用者は閲覧したいスレッドの情報を事前にまとめて電子掲示板統合管理システムに提供することができる。たとえば、インターネット関連の雑誌に紹介されている電子掲示板のスレッドの一覧のリストの情報を電子掲示板統合管理システム事前にまとめて提供する。そして、利用者はその雑誌に紹介されている電子掲示板のスレッドの投稿情報を一画面で閲覧することができる。
【００５０】
＜構成＞
【００５１】
図１１は実施形態４の電子掲示板統合管理システムの機能ブロックの一例を示す図である。実施形態４の電子掲示板統合管理システム１１００はスレッド特定情報取得部１１０１と投稿情報取得部１１０２と投稿情報蓄積部１１０３とウィンドウ生成部１１０４と閲覧部１１０５とを有する。これらは従前の実施形態と同様の内容であるので説明を省略する。
【００５２】
実施形態４の電子掲示板統合管理システムは、実施形態１に記載のスレッド特定情報を登録するためのスレッド特定情報登録部１１０６をさらに有し、前記スレッド特定情報取得部は、前記スレッド特定情報登録部にて登録されているスレッド特定情報を取得する。「登録」とは、電子掲示板統合管理システムに一以上のスレッド特定情報を提供することをいう。たとえば、利用者がスレッドのＵＲＬを電子掲示板統合管理システムに逐次入力してもよいし、また、ＦＤなどの記憶媒体からスレッド特定情報のリストを電子掲示板統合管理システムが提供されてもよい。「取得」とは、前記登録された一以上のスレット特定情報をスレッド特定情報取得部がスレッド特定情報登録部により提供されることをいう。
【００５３】
図１２は実施形態４の電子掲示板統合管理システムの実施の一例を示す図である。電子掲示板統合管理システムのスレッド特定情報登録部には登録された２つのスレッド特定情報が保持されている。スレッド特定情報は電子掲示板の名前とそのスレッド名前からなる。また、前記スレッドのＵＲＬでもよい。そして、スレッド特定情報取得部は前記登録された２つのスレッド特定情報を提供される。また、スレッド特定情報取得部を経ないでスレッド特定情報が投稿情報取得ｋ部に提供されてもよい。そして、投稿情報取得部は２つのスレッド特定情報の中のＵＲＬを参照してインターネット上の電子掲示板の特定のスレッドから２つの投稿情報を取得する。そして、投稿情報蓄積部はあるテーマに関する前記２つの投稿情報を蓄積する。投稿情報は電子掲示板やスレッドやＵＲＬのスレッド特定情報や投稿ＩＤなどの情報と関連づけられて蓄積されてもよい。そして、ウィンドウ生成部は異なる電子掲示板のスレッドの投稿情報を一画面に表示するウィンドウを生成する。そして、閲覧部は前記投稿情報を表示する。前記投稿情報は特定のスレッド名をクリックすることなどで表示されるようになっていてもよい。また、特定の電子掲示板名をクリックすることでその電子掲示板で取得されたスレッド名の一覧などが表示されていもよい。また、電子掲示板名やスレッド名や投稿情報は別々のウィンドウに表示されてもよい。
【００５４】
＜処理の流れ＞
【００５５】
図１３は実施形態４の電子掲示板統合管理システムのフローの一例を示す図である。本実施形態の電子掲示板統合管理システムは以下のステップを有しても良い。まず、スレッド特定情報を登録する（ステップＳ１３０１）。そして、登録されている複数の電子掲示板のスレッド特定情報を取得する（ステップＳ１３０２）。そして、取得されたそれぞれのスレッド特定情報に基づいて特定されるスレッドから投稿情報をスレッド特定情報と関連付けて取得する（ステップＳ１３０３）。そして、取得された投稿情報を蓄積する（ステップＳ１３０４）。そして、複数の電子掲示板の投稿情報を同時に表示する画面上のウインドウを生成する（ステップＳ１３０５）。そして、生成されたウインドウを利用して投稿情報の閲覧をする（ステップＳ１３０６）。
【００５６】
＜効果＞
【００５７】
本実施形態の電子掲示板統合管理システムを利用することで、利用者は事前にスレット特定情報を電子掲示板統合管理システムに登録でき、利用者は投稿情報を閲覧することに集中することができる。
【００５８】
＜実施形態４以上＞
【００５９】
＜実施形態５＞
【００６０】
＜概要＞
【００６１】
実施形態５の電子掲示板統合管理システムは、興味のある事項に関する情報である興味情報を登録するための興味情報登録部と、前記興味情報登録部に登録された興味情報に基づいてインターネット上の関連スレッドを検索する興味スレッド検索部とを有し、スレッド特定情報登録部は、前記興味スレッド検索部での検索結果にもとづいて登録を行うことを特徴とする。本実施形態の電子掲示板統合管理システムを利用することで、利用者は自身の興味のある事柄を電子掲示板統合管理システムに提供するだけで、自身の興味のある投稿情報を閲覧することができる。たとえば、ある車に興味を持っていた場合、その車の名前を電子掲示板統合管理システムに提供するだけで、その車に関する電子掲示板の投稿情報を簡単に閲覧できる。
【００６２】
＜構成＞
【００６３】
図１４は実施形態５の電子掲示板統合管理システムの機能ブロックの一例の図である。実施形態５の電子掲示板統合管理システム１４００はスレッド特定情報取得部１４０１と投稿情報取得部１４０２と投稿情報蓄積部１４０３とウィンドウ生成部１４０４と閲覧部１４０５とスレッド特定情報登録部１４０６とを有する。これらは従前の実施形態と同様の内容であるので説明を省略する。
【００６４】
実施形態５の電子掲示板統合管理システムは興味のある事項に関する情報である興味情報を登録するための興味情報登録部１４０７と、前記興味情報登録部に登録された興味情報に基づいてインターネット上の関連スレッドを検索する興味スレッド検索部１４０８とを有し、実施形態４に記載のスレッド特定情報登録部は、前記興味スレッド検索部での検索結果にもとづいて実施形態４に記載の登録を行う。前記興味情報登録部と興味スレッド検索部はスレッド特定情報登録部が有している構成でもよい。「興味情報」とは、利用者が興味を持っている事柄の情報であり、人や物やサービスの名前などであってもよい。「登録」とは、電子掲示板統合管理システムが前記興味情報を提供されることをいう。たとえば、利用者が前記興味情報を電子掲示板統合管理システムへ入力してもよいし、また、ＦＤなどの記憶媒体から前記興味情報を電子掲示板統合管理システムが提供されてもよい。「基づいて」とは、電子掲示板統合管理システムがインターネット上の電子掲示板を検索する際に、前記興味情報が検索のキーとされることをいう。「インターネット上の関連スレッド」とは、インターネット上にある電子掲示板のスレッド中でそのスレッド名やスレッド内の投稿情報の中に興味情報と同じ言葉を一部に含むスレッドをいう。「検索」とは、電子掲示板統合管理システムが前記興味情報を検索キーの一部としてインターネット上の電子掲示板のスレッドを検索することをいう。「検索結果にもとづいて」とは、実施形態１に記載のスレッド特定情報を電子掲示板統合管理システムが登録される際に、前記検索の結果としての興味情報と関連するスレッドを基にスレッド特定情報が登録されることをいう。
【００６５】
図１５は実施形態５の電子掲示板統合管理システムの実施の一例を示す図である。電子掲示板統合管理システムの興味情報登録部に利用者が興味のある車の名前が興味情報として登録されている。そして、興味スレッド検索部は前記興味情報を検索のキーとしてインターネット上の電子掲示板のスレッドを検索し、興味情報と関連する２つのスレッド特定情報を取得する。スレッド特定情報は電子掲示板の名前とそのスレッド名前からなる。また、前記スレッドのＵＲＬでもよい。そして、スレッド特定情報登録部に興味情報と関連する２つのスレッド特定情報が登録される。投稿情報取得部は２つのスレッド特定情報の中のＵＲＬを参照してインターネット上の電子掲示板の特定のスレッドから２つの投稿情報を取得する。そして、投稿情報蓄積部はあるテーマに関する前記２つの投稿情報を蓄積する。投稿情報は電子掲示板やスレッドやＵＲＬのスレッド特定情報や投稿ＩＤなどの情報と関連づけられて蓄積されてもよい。そして、ウィンドウ生成部は異なる電子掲示板のスレッドの投稿情報を一画面に表示するウィンドウを生成する。そして、閲覧部は前記投稿情報を表示する。前記投稿情報は特定のスレッド名をクリックすることなどで表示されるようになっていてもよい。また、特定の電子掲示板名をクリックすることでその電子掲示板で取得されたスレッド名の一覧などが表示されていもよい。また、電子掲示板名やスレッド名や投稿情報は別々のウィンドウに表示されてもよい。
【００６６】
＜処理の流れ＞
【００６７】
図１６は実施形態５の電子掲示板統合管理システムのフローの一例を示す図である。本実施形態の電子掲示板統合管理システムは以下のステップを有しても良い。まず、興味情報を登録する（ステップＳ１６０１）。そして、登録された興味情報に基づいてインターネット上の関連スレッドを検索する（ステップＳ１６０２）。そして、検索結果にもとづいてスレッド特定情報を登録する（ステップＳ１６０３）。そして、取得されたそれぞれのスレッド特定情報に基づいて特定されるスレッドから投稿情報をスレッド特定情報と関連付けて取得する（ステップＳ１６０４）。そして、取得された投稿情報を蓄積する（ステップＳ１６０５）。そして、複数の電子掲示板の投稿情報を同時に表示する画面上のウインドウを生成する（ステップＳ１６０６）。そして、生成されたウインドウを利用して投稿情報の閲覧をする（ステップＳ１６０７）。
【００６８】
＜効果＞
【００６９】
本実施形態の電子掲示板統合管理システムを利用することで、利用者は自身の興味のある事柄を電子掲示板統合管理システムに提供するだけで簡単に自身の興味のある投稿情報を一度に閲覧することができる。
【００７０】
＜実施形態５以上＞
【００７１】
＜実施形態６＞
【００７２】
＜概要＞
【００７３】
実施形態６の電子掲示板統合管理システムの投稿情報取得部は、投稿情報の管理形式を示す投稿パターン情報を保持する投稿パターン情報保持手段と、投稿情報取得部で取得された投稿情報から、タイトル、投稿情報識別番号、投稿者名、投稿日時、投稿本文、引用文、返信先投稿情報識別番号のいずれか一以上の内容情報を前記投稿パターン情報を利用して取得する投稿情報内容取得手段と、を有することを特徴とする。本実施形態の電子掲示板統合管理システムを利用することで、利用者は異なる管理形式を有する複数の電子掲示板の投稿情報を一度に同時に閲覧することができる。たとえば、インターネット上の複数の電子掲示板はそれぞれ投稿情報の閲覧の仕方や表示の仕方が異なっている。一々の投稿情報にＵＲＬが割り振りスレッドを管理しているポータルサイトの電子掲示板があれば、スレッド単位にＵＲＬを割り振るだけの電子掲示板もある。また、ポータルサイトの電子掲示板は複雑なレイアウトを使用したりする。このような異なる投稿情報の管理の違いを利用者は意識することなく前記投稿情報を閲覧できる。そして、利用者は複数の電子掲示板にあるスレッドを一つの電子掲示板で閲覧しているように感じることができる。
【００７４】
＜構成＞
【００７５】
図１７は実施形態６の電子掲示板統合管理システムの機能ブロックの一例を示す図である。実施形態６の電子掲示板統合管理システム１７００はスレッド特定情報取得部１７０１と投稿情報取得部１７０２と投稿情報蓄積部１７０３とウィンドウ生成部１７０４と閲覧部１７０５とを有する。これらは従前の実施形態と同様の内容であるので説明を省略する。
【００７６】
実施形態６の電子掲示板統合管理システムの投稿情報取得部は、投稿情報の管理形式を示す投稿パターン情報を保持する投稿パターン情報保持手段１７０６と、前記投稿情報取得部で取得された投稿情報から、タイトル、投稿情報識別番号、投稿者名、投稿日時、投稿本文、引用文、返信先投稿情報識別番号のいずれか一以上の内容情報を前記投稿パターン情報を利用して取得する投稿情報内容取得手段１７０７とを有する。「管理形式」とは、インターネット上の電子掲示板毎に定められている投稿情報表示の仕方や表示の形式である。たとえば、ＵＲＬのスレッドや投稿情報への割り振られ方や、投稿情報が表示される際に使用されるＨＴＭＬ（Ｈｙｐｅｒ  Ｔｅｘｔ  Ｍａｒｋｕｐ  Ｌａｎｇｕａｇｅ）のタグと投稿情報の対応づけ方や、前記ＨＴＭＬ内での投稿情報の内容の記述の仕方などである。「投稿パターン情報」とは、電子掲示板ごとの前記管理形式の情報であり、投稿情報の管理のパターンを示す情報である。「保持」とは、電子掲示板統合管理システムが前記投稿パターン情報をすぐに利用できるように保持することをいう。
【００７７】
「内容情報」とは、投稿情報を内容で区分した情報であり、前記投稿情報の内容の記述の仕方であってもよい。たとえば、投稿情報内のタイトル、投稿情報識別番号、投稿者名、投稿日時、投稿本文、引用文、返信先投稿情報識別番号などである。「タイトル」とは、投稿情報のテーマであり、投稿情報が投稿されたスレッド名であってもよい。「投稿情報識別番号」とは投稿情報を一意に識別する情報であり、実施形態１に記載のスレッド特定情報と関連づけられてもよい。「投稿者名」とは、投稿情報を電子掲示板に投稿した人の氏名や投稿した人を識別する情報である。「投稿日時」とは電子掲示板に投稿者が投稿情報を投稿した日時である。「投稿本文」とは、投稿情報の内容が記載された情報である。「引用文」とは、前記投稿本文が引用した投稿情報である。「返信先投稿情報識別番号」とは、投稿情報が返答する先の投稿情報を一意に識別する番号である。
【００７８】
「利用して」とは、電子掲示板統合管理システムが投稿情報から内容情報を取得する際に、前記管理形式に基づき投稿情報の解析し、個々の内容情報を抽出することをいう。たとえば、前記管理形式の一形態として、ＨＴＭＬのタグと前記内容情報の対応づけがあり、ＨＴＭＬのタグ‘ｔｉｔｌｅ’で内容情報のタイトルが記載される。また、特定のＨＴＭＬのタグで内容情報が規則的に表示される。つまり、特定のＨＴＭＬタグの後に内容情報が投稿情報識別番号、投稿者名、投稿日時、投稿本文の順番で表示される。このような管理形式のＨＴＭＬの投稿情報の一例を示す。
【００７９】
「（ｔｉｔｌｅ）特許を取得しました（／ｆｏｎｔ）（ｄｌ）（ｄｔ）１  ：（ｆｏｎｔ  ｃｏｌｏｒ＝ｇｒｅｅｎ）（ｂ）鈴木太郎さん（／ｂ）（／ｆｏｎｔ）  ：０３／０４／０２  ２３：４１（ｄｄ）素晴らしいですね。（ｂｒ）（ｂｒ）（ｄｔ）」この一例を前記管理形式の一形態により解析すると、内容情報のタイトルが「特許を取得しました」となり、投稿者名が「鈴木太郎さん」となり、投稿日時が「０３／０４／０２  ２３：４１」となり、投稿本文が「素晴らしいですね。」となる。そして、この解析の結果に基づき、個々の内容情報を投稿情報から抽出する。
【００８０】
「取得」とは、電子掲示板統合管理システムが、異なる管理形式を有する電子掲示板から取得された複数の投稿情報から、前記内容情報を投稿パターン情報による解析を通じて取得することをいう。
【００８１】
図１８は本実施形態の電子掲示板統合管理システムの実施の一例を示す図である。電子掲示板統合管理システムのスレッド特定情報取得部は２つのスレッド特定情報を取得する。スレッド特定情報は電子掲示板の名前とそのスレッド名前及び前記スレッドのＵＲＬからなっている。投稿情報取得部は２つのスレッド特定情報の中のＵＲＬを参照してインターネット上の電子掲示板の特定のスレッドから２つの投稿情報を取得する。そして、投稿情報内容取得手段は、スレッド特定情報を投稿パターン情報保持手段に通知して２つの投稿情報の投稿パターン情報を投稿パターン情報保持手段より取得する。そして、投稿情報内容取得手段は、取得された２つの投稿情報からそれぞれの投稿パターン情報を利用してそれぞれ内容情報を取得する。そして、投稿情報蓄積部はあるテーマに関する前記２つの投稿情報の内容情報を蓄積する。内容情報は電子掲示板やスレッドやＵＲＬのスレッド特定情報と関連づけられて蓄積されてもよい。そして、ウィンドウ生成部は異なる電子掲示板のスレッドの投稿情報の内容情報を一画面に表示するウィンドウを生成する。そして、閲覧部は前記投稿情報の内容情報を表示する。前記投稿情報の内容情報は特定のスレッド名をクリックすることなどで表示されるようになっていてもよい。また、特定の電子掲示板名をクリックすることでその電子掲示板で取得されたスレッド名の一覧などが表示されていもよい。また、電子掲示板名やスレッド名や投稿情報の内容情報は別々のウィンドウに表示されてもよい。
【００８２】
＜処理の流れ＞
【００８３】
図１９実施形態６の電子掲示板統合管理システムのフローの一例を示す図である。本実施形態の電子掲示板統合管理システムは以下のステップを有しても良い。まず、複数の電子掲示板のスレッド特定情報を取得する（ステップＳ１９０１）。そして、取得されたそれぞれのスレッド特定情報に基づいて特定されるスレッドから投稿情報をスレッド特定情報と関連付けて取得する（ステップＳ１９０２）。そして、取得された投稿情報から投稿パターン情報を利用してタイトル、投稿情報識別番号、投稿者名、投稿日時、投稿本文、引用文、返信先投稿情報識別番号のいずれか一以上の内容情報を取得する（ステップＳ１９０３）。そして、取得された投稿情報の内容情報を蓄積する（ステップＳ１９０４）。そして、前記ステップで蓄積された投稿情報の内容情報を同時に表示する画面上のウインドウを生成する（ステップＳ１９０５）。そして、生成されたウインドウを利用して投稿情報の閲覧をする（ステップＳ１９０６）。
【００８４】
＜効果＞
【００８５】
本実施形態の電子掲示板統合管理システムを利用することで、利用者はインターネット上の異なる管理形式を有する複数の電子掲示板の投稿情報を簡単に一度に閲覧することができる。
【００８６】
＜実施形態６以上＞
【００８７】
尚、本発明の電子掲示板統合管理システムは、上述の図示例にのみ限定されるものではなく、本発明の要旨を逸脱しない範囲内において種々変更を加え得ることは勿論である。
【発明の効果】
以上、説明したように本発明の請求項１〜７記載の電子掲示板統合管理システムによれば、インターネット上の複数の電子掲示板の投稿情報を利用者が簡単に一度に閲覧できるという優れた効果を奏し得る。
【００８８】
【図面の簡単な説明】
【図１】実施形態１の概念の一例を示す図
【図２】実施形態１の機能ブロックの一例を示す図
【図３】実施形態１の実施の一例を示す図
【図４】実施形態１のフローの一例を示す図
【図５】実施形態２の機能ブロックの一例を示す図
【図６】実施形態２の実施の一例を示す図
【図７】実施形態２のフローの一例を示す図
【図８】実施形態３の機能ブロックの一例を示す図
【図９】実施形態３の実施の一例を示す図
【図１０】実施形態３のフローの一例を示す図
【図１１】実施形態４の機能ブロックの一例を示す図
【図１２】実施形態４の実施の一例を示す図
【図１３】実施形態４のフローの一例を示す図
【図１４】実施形態５の機能ブロックの一例を示す図
【図１５】実施形態５の実施の一例を示す図
【図１６】実施形態５のフローの一例を示す図
【図１７】実施形態６の機能ブロックの一例を示す図
【図１８】実施形態６の実施の一例を示す図
【図１９】実施形態６のフローの一例を示す図
【符号の説明】
０２００  電子掲示板統合管理システム
０２０１  スレッド特定情報取得部
０２０２  投稿情報取得部
０２０３  投稿情報蓄積部
０２０４  ウインドウ生成部
０２０５  閲覧部
【図１】
2004355046.tif 000003
【図２】
2004355046.tif 000004
【図３】
2004355046.tif 000005
【図４】
2004355046.tif 000006
【図５】
2004355046.tif 000007
【図６】
2004355046.tif 000008
【図７】
2004355046.tif 000009
【図８】
2004355046.tif 000010
【図９】
2004355046.tif 000011
【図１０】
2004355046.tif 000012
【図１１】
2004355046.tif 000013
【図１２】
2004355046.tif 000014
【図１３】
2004355046.tif 000015
【図１４】
2004355046.tif 000016
【図１５】
2004355046.tif 000017
【図１６】
2004355046.tif 000018
【図１７】
2004355046.tif 000019
【図１８】
2004355046.tif 000020
【図１９】
2004355046.tif 000021